(57)【要約】【課題】  複数の画像により構成される画像群を１つの画像ごとに表示画面に表示させるときに、画像切替指示を手入力しなくても、ユーザの意図したとおりのタイミングで画像を切替えることができる携帯端末装置を提供する。【解決手段】  携帯端末装置１００において表示制御部３は、画像読出部３１、風圧判定部３２および画像切替部３３を備える。画像読出部３１は、画像記憶部５３からデジタルコンテンツを読出し、デジタルコンテンツにおける所望の一の画像を表示画面１１に表示させる。風圧判定部３２は、デジタルコンテンツにおける所望の一の画像が表示画面１１に表示された状態で、風圧検出部４によって検出される風圧が風圧閾値以上の値であるか否かを判定する。画像切替部３３は、風圧判定部３２によって風圧が風圧閾値以上の値であると判定された場合、表示画面１１に表示させる画像を前ページ画像または次ページ画像に切替える。【選択図】      図２
2014063344.tif 000002
【特許請求の範囲】
【請求項１】
複数のデータからなるデータ群を記憶するデータ記憶部と、
前記データ群における一の画像を表示する表示画面を有する表示部と、
前記表示画面の近傍に設けられ、風圧を検出するセンサを有する風圧検出部と、
前記表示部によるデータの表示を制御する表示制御部であって、
前記データ記憶部から前記データ群を読出し、該データ群における所望の一のデータを前記表示画面に表示させるデータ読出部と、
前記データ群における前記所望の一のデータが前記表示画面に表示された状態で、前記センサによって検出される風圧が予め定める閾値以上の値であるか否かを判定する風圧判定部と、
前記風圧判定部によって風圧が前記閾値以上の値であると判定された場合、前記表示画面に表示させるデータを、前記所望の一の画像に対して１つ前のデータ、または１つ後のデータに切替えるデータ切替部とを有する表示制御部と、を備えることを特徴とする携帯端末装置。
【請求項２】
前記センサは、互いに離間して設けられ、それぞれ個別に風圧を検出する第１風圧センサと第２風圧センサとからなり、
前記風圧判定部は、前記第１風圧センサおよび前記第２風圧センサによって検出されるそれぞれの風圧が前記閾値以上の値であるか否かを個別に判定し、
前記データ切替部は、前記第１風圧センサによって検出される風圧が前記閾値以上の値であると判定された場合に、前記表示画面に表示させるデータを、前記所望の一のデータに対して１つ前のデータに切替え、前記第２風圧センサによって検出される風圧が前記閾値以上の値であると判定された場合に、前記表示画面に表示させるデータを、前記所望の一のデータに対して１つ後のデータに切替えることを特徴とする請求項１に記載の携帯端末装置。
【請求項３】
前記センサは、互いに離間して設けられ、それぞれ個別に風圧を検出する第１風圧センサと第２風圧センサとからなり、
前記風圧判定部は、前記第１風圧センサおよび前記第２風圧センサによって検出されるそれぞれの風圧の差分が前記閾値以上の値であるか否か、およびどちらの風圧が大きいかを判定し、
前記データ切替部は、検出される風圧の差分が前記閾値以上の値であると判定された場合であって、前記第１風圧センサによって検出される風圧が前記第２風圧センサによって検出される風圧よりも大きいと判定された場合には、前記表示画面に表示させるデータを、前記所望の一のデータに対して１つ前のデータに切替え、前記第２風圧センサによって検出される風圧が前記第１風圧センサによって検出される風圧よりも大きいと判定された場合には、前記表示画面に表示させるデータを、前記所望の一のデータに対して１つ後のデータに切替えることを特徴とする請求項１に記載の携帯端末装置。
【請求項４】
前記表示制御部は、
前記閾値以上の風圧が前記センサによって連続的に検出される時間を計測する時間計測部と、
前記時間計測部によって計測された時間に応じて、前記データ切替部による前記表示画面に表示させるデータの切替時間を調整するデータ切替時間調整部と、をさらに有することを特徴とする請求項１または２に記載の携帯端末装置。
【請求項５】
コンピュータを、請求項１〜４のいずれか１つに記載の携帯端末装置における表示制御部として機能させるための表示プログラム。
【請求項６】
請求項５に記載の表示プログラムを記録したコンピュータ読取可能な記録媒体。
【発明の詳細な説明】
【技術分野】
【０００１】
本発明は、携帯端末装置、表示プログラム、および該プログラムを記録した記録媒体に関する。
【背景技術】
【０００２】
近年、電子書籍や電子楽譜のようなデジタルコンテンツの普及により、数多くのデジタルコンテンツを、タブレット端末装置などの携帯端末装置で閲覧することが可能になってきている。
【０００３】
特許文献１，２には、タッチペンやジョイスティックなどによる指示操作に基づいて、表示画面に画像を表示させる携帯端末装置が開示されている。特許文献１，２に開示される携帯端末装置では、複数の画像により構成される画像群からなるデジタルコンテンツを１つの画像ごと（１ページごと）に表示画面に表示させる場合、タッチペンやジョイスティックなどが用いられて画像切替指示が入力されることで、表示画面に表示させる画像が切替えられる。
【０００４】
このような特許文献１，２に開示される携帯端末装置では、表示画面に表示させる画像を切替えるためには、タッチペンやジョイスティックなどによる画像切替指示操作が必要であり、たとえば、表示画面に表示される画像を視認しながら、携帯端末装置に対する操作以外の作業を両手で行っている場合には、表示画面に表示させる画像を切替えることができないという問題がある。
【０００５】
このような問題を解決する方法が特許文献３〜５に開示されている。特許文献３には、複数の画像により構成される画像群からなる電子書籍を１つの画像ごと（１ページごと）に表示画面に表示させる携帯端末装置が開示されている。特許文献３に開示される携帯端末装置では、各画像のデータ容量に基づいて各画像を表示画面に表示させるときの表示時間が算出され、その算出された表示時間ごとに表示画面に表示させる画像が切替えられる。
【０００６】
特許文献４，５には、複数の画像により構成される画像群からなる電子楽譜を１つの画像ごと（１ページごと）に表示画面に表示させる携帯端末装置が開示されている。特許文献４，５に開示される携帯端末装置では、表示画面に表示される画像（楽譜）を視認しながら演奏者（ユーザ）によって演奏される楽音が入力され、その入力された音の解析結果に基づいて表示画面に表示させる画像（楽譜）が切替えられる。
【先行技術文献】
【特許文献】
【０００７】
【特許文献１】特開２００４−２０６６１３号公報
【特許文献２】特開２０００−２８４８８４号公報
【特許文献３】特開平６−２３１１８７号公報
【特許文献４】特開平７−２０８５８号公報
【特許文献５】特開２００１−２６５３２５号公報
【発明の概要】
【発明が解決しようとする課題】
【０００８】
特許文献３〜５に開示される携帯端末装置では、ユーザが、タッチペンやジョイスティックなどを用いて画像切替指示を手入力しなくても、表示画面に表示させる画像を切替えることができる。
【０００９】
しかしながら、特許文献３に開示される携帯端末装置では、各画像のデータ容量に基づいて算出された表示時間ごとに表示画面に表示させる画像が切替えられるので、ユーザの意図したとおりのタイミングで画像を切替えることができない場合がある。
【００１０】
また、特許文献４，５に開示される携帯端末装置では、入力された音の解析結果に基づいて表示画面に表示させる画像が切替えられるので、ユーザによる音以外の音が外乱として入力されてしまう場合があり、このような場合には、ユーザの意図したとおりのタイミングで画像を切替えることができない。
【００１１】
本発明の目的は、複数の画像により構成される画像群を１つの画像ごとに表示画面に表示させるときに、タッチペンやジョイスティックなどを用いて画像切替指示を手入力しなくても、ユーザの意図したとおりのタイミングで画像を切替えることができる携帯端末装置、表示プログラム、および該表示プログラムを記録した記録媒体を提供することである。
【課題を解決するための手段】
【００１２】
本発明は、複数のデータからなるデータ群を記憶するデータ記憶部と、
前記データ群における一のデータを表示する表示画面を有する表示部と、
前記表示画面の近傍に設けられ、風圧を検出するセンサを有する風圧検出部と、
前記表示部によるデータの表示を制御する表示制御部であって、
前記データ記憶部から前記データ群を読出し、該データ群における所望の一のデータを前記表示画面に表示させるデータ読出部と、
前記データ群における前記所望の一のデータが前記表示画面に表示された状態で、前記センサによって検出される風圧が予め定める閾値以上の値であるか否かを判定する風圧判定部と、
前記風圧判定部によって風圧が前記閾値以上の値であると判定された場合、前記表示画面に表示させるデータを、前記所望の一のデータに対して１つ前のデータ、または１つ後のデータに切替えるデータ切替部とを有する表示制御部と、を備えることを特徴とする携帯端末装置である。
【００１３】
また本発明の携帯端末装置において、前記センサは、互いに離間して設けられ、それぞれ個別に風圧を検出する第１風圧センサと第２風圧センサとからなり、
前記風圧判定部は、前記第１風圧センサおよび前記第２風圧センサによって検出されるそれぞれの風圧が前記閾値以上の値であるか否かを個別に判定し、
前記データ切替部は、前記第１風圧センサによって検出される風圧が前記閾値以上の値であると判定された場合に、前記表示画面に表示させるデータを、前記所望の一のデータに対して１つ前のデータに切替え、前記第２風圧センサによって検出される風圧が前記閾値以上の値であると判定された場合に、前記表示画面に表示させるデータを、前記所望の一のデータに対して１つ後のデータに切替えることを特徴とする。
【００１４】
また本発明の携帯端末装置において、前記センサは、互いに離間して設けられ、それぞれ個別に風圧を検出する第１風圧センサと第２風圧センサとからなり、
前記風圧判定部は、前記第１風圧センサおよび前記第２風圧センサによって検出されるそれぞれの風圧の差分が前記閾値以上の値であるか否か、およびどちらの風圧が大きいかを判定し、
前記データ切替部は、検出される風圧の差分が前記閾値以上の値であると判定された場合であって、前記第１風圧センサによって検出される風圧が前記第２風圧センサによって検出される風圧よりも大きいと判定された場合には、前記表示画面に表示させるデータを、前記所望の一のデータに対して１つ前のデータに切替え、前記第２風圧センサによって検出される風圧が前記第１風圧センサによって検出される風圧よりも大きいと判定された場合には、前記表示画面に表示させるデータを、前記所望の一のデータに対して１つ後のデータに切替えることを特徴とする。
【００１５】
また本発明の携帯端末装置において、前記表示制御部は、
前記閾値以上の風圧が前記センサによって連続的に検出される時間を計測する時間計測部と、
前記時間計測部によって計測された時間に応じて、前記データ切替部による前記表示画面に表示させるデータの切替時間を調整するデータ切替時間調整部と、をさらに有することを特徴とする。
【００１６】
また本発明は、コンピュータを、前記携帯端末装置における表示制御部として機能させるための表示プログラムである。
また本発明は、前記表示プログラムを記録したコンピュータ読取可能な記録媒体である。
【発明の効果】
【００１７】
本発明によれば、携帯端末装置は、画像記憶部、表示部、風圧検出部および表示制御部を備える。データ記憶部は、複数のデータからなるデータ群を記憶する。表示部は、前記データ群における一のデータを表示する表示画面を有する。風圧検出部は、表示画面の近傍に設けられ、吹付けられた息などの風圧を検出するセンサを有する。表示制御部は、表示部によるデータの表示を制御し、データ読出部、風圧判定部、およびデータ切替部を有する。データ読出部は、データ記憶部からデータ群を読出し、該データ群における所望の一のデータを表示画面に表示させる。風圧判定部は、データ群における所望の一のデータが表示画面に表示された状態で、風圧検出部のセンサによって検出される風圧が予め定める閾値以上の値であるか否かを判定する。データ切替部は、風圧判定部によって風圧が前記閾値以上の値であると判定された場合、表示画面に表示させるデータを、前記所望の一の画像に対して１つ前のデータ、または１つ後のデータに切替える。
【００１８】
このように構成される携帯端末装置では、複数のデータにより構成されるデータ群を１つのデータごとに表示画面に表示させるときに、ユーザは、風圧検出部のセンサに息を吹付けることによって、タッチペンやジョイスティックなどを用いてデータ切替指示を手入力しなくても、ユーザの意図したとおりのタイミングでデータを切替えることができる。
【００１９】
また本発明によれば、風圧検出部のセンサは、互いに離間して設けられ、それぞれ個別に風圧を検出する第１風圧センサと第２風圧センサとからなる。風圧判定部は、第１風圧センサおよび第２風圧センサによって検出されるそれぞれの風圧が前記閾値以上の値であるか否かを個別に判定する。データ切替部は、第１風圧センサによって検出される風圧が前記閾値以上の値であると判定された場合に、表示画面に表示させるデータを、前記所望の一の画像に対して１つ前のデータに切替え、第２風圧センサによって検出される風圧が前記閾値以上の値であると判定された場合に、表示画面に表示させるデータを、前記所望の一のデータに対して１つ後のデータに切替える。
【００２０】
このように構成される携帯端末装置では、複数のデータにより構成されるデータ群を１つのデータごとに表示画面に表示させるときに、ユーザは、第１風圧センサに息を吹付けることによって、表示画面に表示させるデータを、所望の一のデータに対して１つ前のデータに切替え、第２風圧センサに息を吹付けることによって、所望の一のデータに対して１つ後のデータに切替えることができる。
【００２１】
また本発明によれば、風圧検出部のセンサは、互いに離間して表示画面の近傍に設けられ、それぞれ個別に風圧を検出する第１風圧センサと第２風圧センサとからなる。風圧判定部は、第１風圧センサおよび第２風圧センサによって検出されるそれぞれの風圧の差分が前記閾値以上の値であるか否か、およびどちらの風圧が大きいかを判定する。データ切替部は、検出される風圧の差分が前記閾値以上の値であると判定された場合であって、第１風圧センサによって検出される風圧が第２風圧センサによって検出される風圧よりも大きいと判定された場合には、表示画面に表示させるデータを、前記所望の一のデータに対して１つ前のデータに切替え、第２風圧センサによって検出される風圧が第１風圧センサによって検出される風圧よりも大きいと判定された場合には、表示画面に表示させるデータを、前記所望の一のデータに対して１つ後のデータに切替える。
【００２２】
このように構成される携帯端末装置では、複数のデータにより構成されるデータ群を１つのデータごとに表示画面に表示させるときに、ユーザは、第１風圧センサに息を吹付けることによって、表示画面に表示させるデータを、所望の一のデータに対して１つ前のデータに切替え、第２風圧センサに息を吹付けることによって、所望の一のデータに対して１つ後のデータに切替えることができる。また、第１風圧センサと第２風圧センサの両方の風圧検出値の差分を使うように、携帯端末装置を構成することによって、両方の風圧センサに風を受けるような、たとえば屋外の強風下での使用時にもユーザの所望の操作が可能となる。
【００２３】
また本発明によれば、表示制御部は、時間計測部とデータ切替時間調整部とをさらに有する。時間計測部は、前記閾値以上の風圧が風圧検出部のセンサによって連続的に検出される時間を計測する。そして、データ切替時間調整部は、時間計測部によって計測された時間に応じて、データ切替部による表示画面に表示させるデータの切替時間を調整する。
【００２４】
このように構成される携帯端末装置では、複数のデータにより構成されるデータ群を１つのデータごとに表示画面に表示させるときに、ユーザは、風圧検出部のセンサに息を吹付ける時間を調整することによって、データの切替時間を調整しながら表示画面に表示させるデータを切替えることができる。
【００２５】
また本発明によれば、表示プログラムは、コンピュータを、前記携帯端末装置における表示制御部として機能させるためのプログラムである。このような表示プログラムは、表示画面に表示させるデータの切替処理を、ソフトウェアで制御することができる。
【００２６】
また本発明によれば、記録媒体は、前記表示プログラムを記録したコンピュータ読取可能なものである。そのため、記録媒体から読み出された表示プログラムによって、前記携帯端末装置における表示制御部をコンピュータ上に実現することができる。
【図面の簡単な説明】
【００２７】
【図１】本発明の一実施形態に係る携帯端末装置１００の外観を示す図である。
【図２】携帯端末装置１００の電気的構成の一例を示すブロック図である。
【図３】携帯端末装置１００の動作の第１例を示すフローチャートである。
【図４Ａ】携帯端末装置１００の動作の第２例を示すフローチャートである。
【図４Ｂ】携帯端末装置１００の動作の第２例を示すフローチャートである。
【発明を実施するための形態】
【００２８】
図１は、本発明の一実施形態に係る携帯端末装置１００の外観を示す図である。図２は、携帯端末装置１００の電気的構成の一例を示すブロック図である。携帯端末装置１００は、たとえば、スマートフォンなどの携帯電話装置や、パーソナルコンピュータ、タブレット端末装置、電子辞書などによって実現される。
【００２９】
携帯端末装置１００は、複数のデータからなるデジタルコンテンツを１つのデータごと（１ページごと）に表示画面１１に表示させることが可能な装置である。携帯端末装置１００は、表示部１と、タッチパネル２と、表示制御部３と、風圧検出部４と、音声入出力部７と、タッチパネル制御部２１と、各種記憶手段である主メモリ５１、外部メモリ５２、データ記憶部として機能する画像記憶部５３およびプログラム記憶部５４と、通信処理部６１と、デコードエンコード処理部７１と、ＭＰＵ（Micro-Processing Unit）８１と、外部メモリ制御部５２１と、不揮発性メモリ制御部５３１とを備えている。
【００３０】
本実施形態において、デジタルコンテンツは、たとえば、電子書籍、電子楽譜などのデータや、表計算ソフト用データ、ワープロソフト用データ、プレゼン用データ、写真などの画像データ等多種の電子データに適用可能である。携帯端末装置１００において、デジタルコンテンツは、通信処理部６１または外部メモリ５２を介して取得される。デジタルコンテンツに含まれる各データは、各データに割り振られた識別符号、あるいはデータの名称、作成日時等の各データに付随する何らかの属性に基づいて順序づけられる。また、以下の説明ではコンテンツに含まれる「データ」が「画像」である場合を例として説明する。
【００３１】
通信処理部６１は、たとえば無線または有線を介して配信されるデジタルコンテンツを受信するインタフェース部分であり、ネットワーク経由でデジタルコンテンツを取得する。通信処理部６１によって取得されたデジタルコンテンツは、画像記憶部５３の不揮発性メモリ領域に保存される。
【００３２】
外部メモリ５２は、ＵＳＢメモリやＳＤカードなどの記録媒体であり、デジタルコンテンツが記録されている。この外部メモリ５２に記録されたデジタルコンテンツは、外部メモリ制御部５２１によって読取られ、画像記憶部５３の不揮発性メモリ領域に保存される。
【００３３】
画像記憶部５３に保存されたデジタルコンテンツは、不揮発性メモリ制御部５３１を介して、表示制御部３の画像読出部３１によって読出され、表示部１によって表示される。
【００３４】
表示部１は、たとえば液晶ディスプレイまたは有機ＥＬ（Electro-Luminescence）ディスプレイなどによって構成され、複数の画像が予め定める順番で並べられた画像群からなるデジタルコンテンツを、前記予め定める順番に従って１つの画像ごと（１ページごと）に表示する表示画面１１を有する。表示画面１１は、たとえば長方形状に形成されている。
【００３５】
タッチパネル２は、Ｘ軸およびＹ軸を座標軸とする直交座標が設定された入力面を有し、表示部１の表示画面１１上に重ね合わされて、表示部１と一体的に形成されている。このタッチパネル２は、入力面が外部に露出するように、筐体９内に収容されている。タッチパネル２は、ユーザからの指示情報が入力されるものであり、ユーザは、タッチパネル２の入力面に対する指やタッチペンなどによる入力操作によって、指示を入力することができる。
【００３６】
ユーザは、タッチパネル２に対して、表示部１の表示画面１１に表示されているデジタルコンテンツのページ送り（一の画像に対して１つ後の順番の画像を表示させる指示）、ページ戻し（一の画像に対して１つ前の順番の画像を表示させる指示）、行スクロール、左右スクロール、拡大、縮小などの画像切替指示を入力することができる。このタッチパネル２は、タッチパネル制御部２１によって制御される。タッチパネル制御部２１は、タッチパネルドライバによって実現され、タッチパネル２の入力面に対する入力操作を検出する。
【００３７】
なお、本実施形態の携帯端末装置１００では、詳細については後述するが、デジタルコンテンツを１つの画像ごと（１ページごと）に表示画面１１に表示させるときに、ユーザは、風圧検出部４に息を吹付けることによって、タッチパネル２に対して画像切替指示を手入力しなくても、表示画面１１に表示させる画像を切替えることができる。
【００３８】
音声入出力部７は、スピーカ７２とマイクロフォン７３とを含む。画像記憶部５３に記憶されたデジタルコンテンツに音声データが含まれている場合、デコードエンコード処理部７１がその音声データをデコードし、スピーカ７２から出力する。また、マイクロフォン７３から音声データが入力された場合、デコードエンコード処理部７１がエンコードする。
【００３９】
ＭＰＵ８１は、主メモリ５１、外部メモリ５２、画像記憶部５３およびプログラム記憶部５４内に記憶されている各種データの転送を行ったり、携帯端末装置１００を構成する各部に制御命令を発行して処理を実行させる。また、ＭＰＵ８１は、携帯端末装置１００を動作させるコンテンツ表示プログラムのコードを、不揮発性メモリ制御部５３１を介してプログラム記憶部５４から取出して、主メモリ５１に記憶させ、コンテンツ表示プログラムを実行する。
【００４０】
風圧検出部４は、互いに離間して表示画面１１の近傍に設けられる第１風圧センサ４１と第２風圧センサ４２とを有し、吹付けられた息の風圧を検出する。第１風圧センサ４１と第２風圧センサ４２とは、風圧を検出するときに誤検出を生じないように互いに離間して設けられていればよい。第１風圧センサ４１と第２風圧センサ４２とは、表示画面１１に重ね合わせて設けられるタッチパネル２の入力面上に、表示画面１１に対応する領域に略隣接するように設けられる。
【００４１】
表示画面１１を正面視したときに表示画面１１の長辺が左右方向に延びるように、横画面スタイルで携帯端末装置１００が使用された場合には、タッチパネル２の入力面上において、第１風圧センサ４１が左下端部に位置し、第２風圧センサ４２が右下端部に位置するように、風圧検出部４が設けられる。また、表示画面１１を正面視したときに表示画面１１の長辺が上下方向に延びるように、縦画面スタイルで携帯端末装置１００が使用された場合には、タッチパネル２の入力面上において、第１風圧センサ４１が左上端部に位置し、第２風圧センサ４２が左下端部に位置するように、風圧検出部４が設けられる。
【００４２】
なお、風圧検出部４が設けられる位置はこれに限らず、表示画面１１の短辺に対して、第１風圧センサ４１が左下端部に位置し、第２風圧センサ４２が右下端部に位置するように、風圧検出部４が設けられてもよい。
【００４３】
第１風圧センサ４１および第２風圧センサ４２としては、公知の半導体圧力センサなどを用いることができる。半導体圧力センサとしては、半導体基板にダイアフラム部とゲージ抵抗とが形成されたものを挙げることができる。このような半導体圧力センサは、たとえば、半導体基板の裏面側からエッチングすることにより形成した薄肉のダイアフラム部と、半導体基板の表面側に形成された４つのゲージ抵抗とを有している。４つのゲージ抵抗はホイットストーンブリッジを構成するように電気的に接続されており、ダイアフラム部が圧力を受けて撓むと、各ゲージ抵抗にダイアフラム部の撓み量に応じた応力が発生し、この応力に応じてゲージ抵抗の抵抗値が変化する。この抵抗値変化を電気信号として取出すことにより、半導体圧力センサは圧力（風圧）の検出をする。
【００４４】
表示制御部３は、表示部１による画像の表示を制御するものであり、画像読出部３１と、風圧判定部３２と、画像切替部３３と、時間計測部３４と、画像切替速度制御部３５とを備える。
【００４５】
画像読出部３１は、データ読出部としての機能を果たし、画像記憶部５３に保存されている、複数の画像からなる画像群であるデジタルコンテンツを、不揮発性メモリ制御部５３１を介して画像記憶部５３から読出し、デジタルコンテンツにおける所望の一の画像を表示部１の表示画面１１に表示させる。
【００４６】
風圧判定部３２は、デジタルコンテンツにおける所望の一の画像が表示画面１１に表示された状態で、風圧検出部４によって検出される風圧が予め定める閾値（以下、「風圧閾値」という）以上の値であるか否かを判定する。風圧検出部４が第１風圧センサ４１と第２風圧センサ４２とを有する本実施形態では、風圧判定部３２は、第１風圧センサ４１および第２風圧センサ４２によって検出される風圧が風圧閾値以上の値であるか否かをそれぞれ個別に判定する。
【００４７】
画像切替部３３は、データ切替部としての機能を果たし、風圧判定部３２によって風圧が風圧閾値以上の値であると判定された場合に、表示部１の表示画面１１に表示させる画像を、所望の一の画像に対して１つ前の画像（前ページ画像）、または１つ後の画像（次ページ画像）に切替える。風圧検出部４が第１風圧センサ４１と第２風圧センサ４２とを有する本実施形態では、画像切替部３３は、第１風圧センサ４１によって検出される風圧が風圧閾値以上の値であると判定された場合に、表示部１の表示画面１１に表示させる画像を、前ページ画像に切替え、第２風圧センサ４２によって検出される風圧が風圧閾値以上の値であると判定された場合に、表示画面１１に表示させる画像を、次ページ画像に切替える。
【００４８】
時間計測部３４は、風圧閾値以上の風圧が第１風圧センサ４１または第２風圧センサ４２によって連続的に検出される時間（以下、「風圧連続検出時間」という）を計測する。
【００４９】
画像切替速度制御部３５は、データ切替時間調整部としての機能を果たし、時間計測部３４によって計測された風圧連続検出時間に応じて、画像切替部３３による表示画面１１に表示させる画像の切替速度を制御する（画像の切替時間を調整する）。たとえば、画像切替速度制御部３５は、時間計測部３４によって計測された、第１風圧センサ４１に対応する風圧連続検出時間が予め定める閾値（以下、「時間閾値」という）以上の値である場合に、画像切替部３３を制御して、所定の標準速度よりも高速の切替速度で（所定の標準時間よりも短い切替時間で）、表示画面１１に表示させる画像を前ページ画像に切替えさせる。また、画像切替速度制御部３５は、時間計測部３４によって計測された、第１風圧センサ４１に対応する風圧連続検出時間が前記時間閾値未満の値である場合に、画像切替部３３を制御して、所定の標準速度（低速の切替速度）で、表示画面１１に表示させる画像を前ページ画像に切替えさせる。
【００５０】
また、画像切替速度制御部３５は、時間計測部３４によって計測された、第２風圧センサ４２に対応する風圧連続検出時間が前記時間閾値以上の値である場合に、画像切替部３３を制御して、所定の標準速度よりも高速の切替速度で（所定の標準時間よりも短い切替時間で）、表示画面１１に表示させる画像を次ページ画像に切替えさせる。また、画像切替速度制御部３５は、時間計測部３４によって計測された、第２風圧センサ４２に対応する風圧連続検出時間が前記時間閾値未満の値である場合に、画像切替部３３を制御して、所定の標準速度（低速の切替速度）で、表示画面１１に表示させる画像を次ページ画像に切替えさせる。
【００５１】
以上のように構成された携帯端末装置１００では、複数の画像により構成されるデジタルコンテンツを１つの画像ごと（１ページごと）に表示部１の表示画面１１に表示させるときに、ユーザは、風圧検出部４に息を吹付けることによって、タッチペンやジョイスティックなどを用いてタッチパネル２に対して画像切替指示を手入力しなくても、ユーザの意図したとおりのタイミングで画像を切替えることができる。
【００５２】
また本実施形態の携帯端末装置１００では、風圧検出部４は、第１風圧センサ４１と第２風圧センサ４２とを有し、風圧判定部３２は、第１風圧センサ４１および第２風圧センサ４２によって検出される風圧が風圧閾値以上の値であるか否かをそれぞれ個別に判定し、画像切替部３３は、第１風圧センサ４１によって検出される風圧が風圧閾値以上の値であると判定された場合に、表示画面１１に表示させる画像を前ページ画像に切替え、第２風圧センサ４２によって検出される風圧が風圧閾値以上の値であると判定された場合に、表示画面１１に表示させる画像を次ページ画像に切替える。
【００５３】
このように構成された携帯端末装置１００では、デジタルコンテンツを１つの画像ごと（１ページごと）に表示画面１１に表示させるときに、ユーザは、第１風圧センサ４１に息を吹付けることによって、表示画面１１に表示させる画像を前ページ画像に切替え、第２風圧センサ４２に息を吹付けることによって、次ページ画像に切替えることができる。
【００５４】
また本実施形態の携帯端末装置１００では、時間計測部３４は、風圧閾値以上の風圧が風圧検出部４によって連続的に検出される風圧連続検出時間を計測し、画像切替速度制御部３５は、時間計測部３４によって計測された風圧連続検出時間に応じて、画像切替部３３による表示画面１１に表示させる画像の切替速度を制御する（画像の切替時間を調整する）。
【００５５】
このように構成された携帯端末装置１００では、デジタルコンテンツを１つの画像ごと（１ページごと）に表示画面１１に表示させるときに、ユーザは、風圧検出部４に息を吹付ける時間を調整することによって、画像の切替速度（画像の切替時間）を調整しながら表示画面１１に表示させる画像を切替えることができる。
【００５６】
次に、携帯端末装置１００の動作について説明する。図３は、携帯端末装置１００の動作の第１例を示すフローチャートである。
【００５７】
ステップＳ１では、ＭＰＵ８１は、画像記憶部５３に保存されているデジタルコンテンツに関する一覧を表示部１に表示させる。ＭＰＵ８１は、タッチパネル２によって一のデジタルコンテンツの選択指示が入力されたと判断すると、画像読出部３１を制御し、画像記憶部５３に保存されている該一のデジタルコンテンツを、不揮発性メモリ制御部５３１を介して画像記憶部５３から読出させ、デジタルコンテンツにおける所望の一の画像を表示部１の表示画面１１に表示させる。
【００５８】
次にステップＳ２では、ＭＰＵ８１は、画像読出部３１が読出したデジタルコンテンツが、複数の画像（複数のページ）により構成されているか否かを判断する。ＭＰＵ８１によってデジタルコンテンツが複数の画像により構成されていると判断された場合にはステップＳ３に進み、デジタルコンテンツが複数の画像により構成されておらず、１つの画像のみにより構成されていると判断された場合にはステップＳ２を繰返す。
【００５９】
ステップＳ３では、ＭＰＵ８１は、風圧検出部４の第１風圧センサ４１または第２風圧センサ４２によって風圧が検出されたか否かを判断する。ＭＰＵ８１が風圧検出部４によって風圧が検出されたと判断した場合にはステップＳ４またはステップＳ９に進み、ＭＰＵ８１が風圧検出部４によって風圧が検出されていないと判断した場合にはステップＳ３を繰返す。なお、風圧検出部４における第１風圧センサ４１および第２風圧センサ４２のいずれの風圧センサでも風圧が検出された場合には、ステップＳ３を繰返す。
【００６０】
ステップＳ４は、ステップＳ３において風圧検出部４の第１風圧センサ４１によって風圧が検出された場合のステップである。ステップＳ４では、ＭＰＵ８１は、第１風圧センサ４１によって風圧が検出されたと判断する。
【００６１】
次にステップＳ５では、ＭＰＵ８１は、風圧判定部３２を制御し、デジタルコンテンツにおける所望の一の画像が表示画面１１に表示された状態で、第１風圧センサ４１によって検出される風圧が風圧閾値以上の値であるか否かを判定させる。風圧判定部３２が、第１風圧センサ４１によって検出される風圧が風圧閾値以上の値であると判定した場合にはステップＳ６に進み、第１風圧センサ４１によって検出される風圧が風圧閾値未満の値であると判定した場合にはステップＳ３に戻る。
【００６２】
ステップＳ６では、ＭＰＵ８１は、時間計測部３４によって計測された、第１風圧センサ４１に対応する風圧連続検出時間が時間閾値以上の値であるか否かを判断する。ＭＰＵ８１によって風圧連続検出時間が時間閾値以上の値であると判断された場合にはステップＳ７に進み、風圧連続検出時間が時間閾値未満の値であると判断された場合にはステップＳ８に進む。
【００６３】
ステップＳ７では、ＭＰＵ８１は、画像切替速度制御部３５を制御し、時間計測部３４によって計測された、第１風圧センサ４１に対応する風圧連続検出時間が時間閾値以上の値である場合に、所定の標準速度よりも高速の切替速度で、表示画面１１に表示させる画像を前ページ画像に切替えさせる。
【００６４】
ステップＳ８では、ＭＰＵ８１は、画像切替速度制御部３５を制御し、時間計測部３４によって計測された、第１風圧センサ４１に対応する風圧連続検出時間が時間閾値未満の値である場合に、所定の標準速度（低速の切替速度）で、表示画面１１に表示させる画像を前ページ画像に切替えさせる。
【００６５】
ステップＳ９は、ステップＳ３において風圧検出部４の第２風圧センサ４２によって風圧が検出された場合のステップである。ステップＳ９では、ＭＰＵ８１は、第２風圧センサ４２によって風圧が検出されたと判断する。
【００６６】
次にステップＳ１０では、ＭＰＵ８１は、風圧判定部３２を制御し、デジタルコンテンツにおける所望の一の画像が表示画面１１に表示された状態で、第２風圧センサ４２によって検出される風圧が風圧閾値以上の値であるか否かを判定させる。風圧判定部３２が、第２風圧センサ４２によって検出される風圧が風圧閾値以上の値であると判定した場合にはステップＳ１１に進み、第２風圧センサ４２によって検出される風圧が風圧閾値未満の値であると判定した場合にはステップＳ３に戻る。
【００６７】
ステップＳ１１では、ＭＰＵ８１は、時間計測部３４によって計測された、第２風圧センサ４２に対応する風圧連続検出時間が時間閾値以上の値であるか否かを判断する。ＭＰＵ８１によって風圧連続検出時間が時間閾値以上の値であると判断された場合にはステップＳ１２に進み、風圧連続検出時間が時間閾値未満の値であると判断された場合にはステップＳ１３に進む。
【００６８】
ステップＳ１２では、ＭＰＵ８１は、画像切替速度制御部３５を制御し、時間計測部３４によって計測された、第２風圧センサ４２に対応する風圧連続検出時間が時間閾値以上の値である場合に、所定の標準速度よりも高速の切替速度で、表示画面１１に表示させる画像を次ページ画像に切替えさせる。
【００６９】
ステップＳ１３では、ＭＰＵ８１は、画像切替速度制御部３５を制御し、時間計測部３４によって計測された、第２風圧センサ４２に対応する風圧連続検出時間が時間閾値未満の値である場合に、所定の標準速度（低速の切替速度）で、表示画面１１に表示させる画像を次ページ画像に切替えさせる。
【００７０】
上述した実施形態では、風圧検出部４が第１風圧センサ４１および第２風圧センサ４２の、２つの風圧センサを備える構成について説明したが、風圧検出部４が１つの風圧センサを備える構成であってもよい。
【００７１】
風圧検出部４が１つの風圧センサを備える構成である場合、デジタルコンテンツを１つの画像ごと（１ページごと）に表示画面１１に表示させるときに、ユーザは、１つの風圧センサに息を吹付けることによって、表示画面１１に表示させる画像を、前ページ画像または次ページ画像に切替えることができる。
【００７２】
上記の実施形態では、携帯端末装置１００は、風圧判定部３２が、第１風圧センサ４１および第２風圧センサ４２によって検出される風圧が風圧閾値以上の値であるか否かをそれぞれ個別に判定し、画像切替部３３が、第１風圧センサ４１によって検出される風圧が風圧閾値以上の値であると判定された場合に、表示画面１１に表示させる画像を前ページ画像に切替え、第２風圧センサ４２によって検出される風圧が風圧閾値以上の値であると判定された場合に、表示画面１１に表示させる画像を次ページ画像に切替え、第１風圧センサ４１および第２風圧センサ４２のいずれの風圧センサでも風圧が検出された場合には、ステップＳ３を繰返すように構成されている。
【００７３】
携帯端末装置１００は、上記の実施形態の変形例として、第１風圧センサ４１と第２風圧センサ４２の両方の風圧検出値の差分を使うように構成することもできる。すなわち、第１風圧センサ４１の風圧検出値から第２風圧センサ４２の風圧検出値の差を求め、その差分の絶対値（検出風圧差分絶対値）が予め定めた風圧閾値以上の値である場合において、第１風圧センサ４１の風圧検出値が第２風圧センサ４２の風圧検出値よりも大きい場合には前ページ画像に切替え、第２風圧センサ４２の風圧検出値が第１風圧センサ４１の風圧検出値よりも大きい場合には次ページ画像に切替えられる。２つの風圧センサの風圧検出値の差分値を用いることにより、両方の風圧センサに風を受けるような、たとえば屋外の強風下での使用時にもユーザの所望の操作が可能となる利点がある。
【００７４】
以下に、上記変形例における携帯端末装置１００の動作について説明する。図４Ａおよび図４Ｂは、携帯端末装置１００の動作の第２例を示すフローチャートである。
【００７５】
ステップＡ１では、前述のステップＳ１と同様に、ＭＰＵ８１は、タッチパネル２によって一のデジタルコンテンツの選択指示が入力されたと判断すると、画像読出部３１を制御し、画像記憶部５３に保存されている該一のデジタルコンテンツを、不揮発性メモリ制御部５３１を介して画像記憶部５３から読出させ、デジタルコンテンツにおける所望の一の画像を表示部１の表示画面１１に表示させる。
【００７６】
次にステップＡ２では、前述のステップＳ２と同様に、ＭＰＵ８１は、画像読出部３１が読出したデジタルコンテンツが、複数の画像（複数のページ）により構成されているか否かを判断する。ＭＰＵ８１によってデジタルコンテンツが複数の画像により構成されていると判断された場合にはステップＡ３に進み、デジタルコンテンツが複数の画像により構成されておらず、１つの画像のみにより構成されていると判断された場合にはステップＡ２を繰返す。
【００７７】
ステップＡ３では、ＭＰＵ８１は、風圧検出部４の第１風圧センサ４１および第２風圧センサ４２によって風圧が検出されたか否かを判断する。ＭＰＵ８１が風圧検出部４によって風圧が検出されたと判断した場合にはステップＡ４に進み、ＭＰＵ８１が風圧検出部４によって風圧が検出されていないと判断した場合にはステップＡ３を繰返す。
【００７８】
ステップＡ４では、ＭＰＵ８１は、風圧判定部３２を制御し、ステップＡ３において検出された風圧検出部４の第１風圧センサ４１と第２風圧センサ４２とによって検出された風圧値の差分値、および、第１風圧センサ４１と第２風圧センサ４２のどちらの風圧検出値が大きいかを求めさせる。
【００７９】
次にステップＡ５では、ＭＰＵ８１は、風圧判定部３２を制御し、ステップＡ４において求められた風圧値の差分値の絶対値（検出風圧差分絶対値）が風圧閾値以上の値であるか否かを判定させる。風圧判定部３２が、検出風圧差分絶対値が予め設定された風圧閾値未満の値であると判定した場合にはステップＡ３に戻る。また、風圧判定部３２が、検出風圧差分絶対値が前記風圧閾値以上の値であると判定した場合にはステップＡ６に進む。
【００８０】
ステップＡ６では、ＭＰＵ８１は、風圧判定部３２を制御し、第１風圧センサ４１の風圧検出値が第２風圧センサ４２の風圧検出値よりも大きいか否かを判定させる。風圧判定部３２が、第１風圧センサ４１の風圧検出値が第２風圧センサ４２の風圧検出値よりも大きいと判定した場合にはステップＡ７に進む。また、風圧判定部３２が、第２風圧センサ４２の風圧検出値が第１風圧センサ４１の風圧検出値よりも大きいと判定した場合にはステップＡ１０に進む。
【００８１】
ステップＡ７では、ＭＰＵ８１は、時間計測部３４によって計測された、第１風圧センサ４１と第２風圧センサ４２とによって検出された風圧値の差分値の検出時間に対応する風圧連続検出時間が時間閾値以上の値であるか否かを判断する。ＭＰＵ８１によって風圧連続検出時間が時間閾値以上の値であると判断された場合にはステップＡ８に進み、風圧連続検出時間が時間閾値未満の値であると判断された場合にはステップＡ９に進む。
【００８２】
ステップＡ８では、前述のステップＳ７と同様に、ＭＰＵ８１は、画像切替速度制御部３５を制御し、風圧連続検出時間が時間閾値以上の値である場合に、所定の標準速度よりも高速の切替速度で、表示画面１１に表示させる画像を前ページ画像に切替えさせる。
【００８３】
ステップＡ９では、前述のステップＳ８と同様に、ＭＰＵ８１は、画像切替速度制御部３５を制御し、風圧連続検出時間が時間閾値未満の値である場合に、所定の標準速度（低速の切替速度）で、表示画面１１に表示させる画像を前ページ画像に切替えさせる。
【００８４】
ステップＡ１０は、ステップＡ６において風圧判定部３２が、第２風圧センサ４２の風圧検出値が第１風圧センサ４１の風圧検出値よりも大きいと判定した場合のステップである。ステップＡ１０では、ＭＰＵ８１は、時間計測部３４によって計測された、第１風圧センサ４１と第２風圧センサ４２とによって検出された風圧値の差分値の検出時間に対応する風圧連続検出時間が時間閾値以上の値であるか否かを判断する。ＭＰＵ８１によって風圧連続検出時間が時間閾値以上の値であると判断された場合にはステップＡ１１に進み、風圧連続検出時間が時間閾値未満の値であると判断された場合にはステップＡ１２に進む。
【００８５】
ステップＡ１１では、前述のステップＳ１２と同様に、ＭＰＵ８１は、画像切替速度制御部３５を制御し、風圧連続検出時間が時間閾値以上の値である場合に、所定の標準速度よりも高速の切替速度で、表示画面１１に表示させる画像を次ページ画像に切替えさせる。
【００８６】
ステップＡ１２では、前述のステップＳ１３と同様に、ＭＰＵ８１は、画像切替速度制御部３５を制御し、風圧連続検出時間が時間閾値未満の値である場合に、所定の標準速度（低速の切替速度）で、表示画面１１に表示させる画像を次ページ画像に切替えさせる。
【００８７】
上記変形例のように、第１風圧センサ４１と第２風圧センサ４２の両方の風圧検出値の差分を使うように、携帯端末装置１００を構成することによって、両方の風圧センサに風を受けるような、たとえば屋外の強風下での使用時にもユーザの所望の操作が可能となる。
【００８８】
また、上記説明では風圧判定部３２が２つの風圧センサの風圧検出値の差分値を求めるとしていたが、差分値を求めるために別の構成要素として差分値算出部を設けてもよい。
【００８９】
なお、上記の実施形態では、デジタルコンテンツを１つの画像ごと（１ページごと）に表示画面１１に表示させる場合について例示しているが、いわゆる見開きで２ページ分の画像を表示してもよい。この場合、ユーザは、風圧検出部４に息を吹付けることによって、タッチパネル２に対して画像切替指示を手入力しなくても、表示画面１１に表示させる画像を見開きで２ページ分切替えることができる。
【００９０】
また、上記の実施形態では、第１風圧センサ４１が風圧閾値以上の風圧を検知した場合、または、第１風圧センサ４１で検出した風圧が第２風圧センサ４２で検出した風圧よりも大きい場合には前ページ画像に切替え、第２風圧センサ４２が風圧閾値以上の風圧を検値した場合、または、第２風圧センサ４２で検出した風圧が第１風圧センサ４１で検出した風圧よりも大きい場合には次ページ画像に切替える態様を示した。しかしながらこの態様に限定されるものではなく、縦書きの電子書籍などの場合に対応するために、第１風圧センサ４１が風圧閾値以上の風圧を検出した場合、または、第１風圧センサ４１で検出した風圧が第２風圧センサ４２で検出した風圧よりも大きい場合には次ページ画像に切替え、第２風圧センサ４２が風圧閾値以上の風圧を検値した場合、または、第２風圧センサ４２で検出した風圧が第１風圧センサ４１で検出した風圧よりも大きい場合には前ページ画像に切替えるように構成されてもよい。この設定は、表示する画像データによって自動的に設定されてもよいし、ユーザが手動で設定してもよい。
【００９１】
また、上記の実施形態では、風圧連続検出時間が時間閾値以上の値である場合に標準速度よりも高速の切替え速度で表示画面１１に表示させる画像を切替え、また、風圧連続検出時間が時間閾値未満の場合には所定の標準速度で表示画面１１に表示させる画像を切替える態様を示した。しかしながらこの態様に限定されるものではなく、風圧連続検出時間が時間閾値以上の値である場合に標準速度で表示画面１１に表示させる画像を切替え、また、風圧連続検出時間が時間閾値未満の場合には所定の標準速度よりも高速の切替え速度で表示画面１１に表示させる画像を切替えるように構成してもよい。すなわち、風圧連続検出時間に応じて画像の切替え速度を変えるように構成すればよい。
【００９２】
また、上述した実施形態では、コンテンツ表示プログラムは、フラッシュメモリなどによって実現されるプログラム記憶部５４に記憶されているが、半導体メモリおよびハードディスクなどの記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００９３】
いずれの記録媒体であっても、記録媒体に記憶されているコンテンツ表示プログラムがコンピュータからアクセスされて実行される構成であればよい。すなわち、いずれの記録媒体であっても、記録媒体からコンテンツ表示プログラムが読み出され、読み出されたコンテンツ表示プログラムが、記憶装置のプログラム記憶エリアに記憶されて、そのコンテンツ表示プログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００９４】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（登録商標）（Electrically Erasable Programmable Read Only Memory）／フラッシュＲＯＭなどの半導体メモリを含む固定的にプログラムを担持する記録媒体であってもよい。
【符号の説明】
【００９５】
１  表示部
２  タッチパネル
３  表示制御部
４  風圧検出部
１１  表示画面
２１  タッチパネル制御部
３１  画像読出部
３２  風圧判定部
３３  画像切替部
３４  時間計測部
３５  画像切替速度制御部
４１  第１風圧センサ
４２  第２風圧センサ
５１  主メモリ
５２  外部メモリ
５３  画像記憶部
５４  プログラム記憶部
１００  携帯端末装置
【図１】
2014063344.tif 000003
【図２】
2014063344.tif 000004
【図３】
2014063344.tif 000005
【図４Ａ】
2014063344.tif 000006
【図４Ｂ】
2014063344.tif 000007